(57)【要約】【課題】  表裏両面が外壁面となる外壁構造において、表側の外壁面および裏側の外壁面をそれぞれパネル化し、かつ水切りの取付けが確実かつ容易にする。【解決手段】  表側外壁パネル１および裏側外壁パネル２を設ける。表側外壁パネル１は、側辺が基礎６上に立てられた柱７に接合され、かつ上辺が梁８に接合される。裏側外壁パネル２は、上辺が梁８に接合され、かつ調整ボルト２３の先端を基礎６に当接させることで下端の動きが拘束される。水切り取付部３３ａおよび被固定片３４を有する水切り取付金物３２を設ける。水切り取付金物３２は、被固定片３４のボルト係合部３６に調整ボルト２３を係合させて固定される。水切り取付金物３２の水切り取付部３３ａに、表側の水切り３２Ａおよび裏側の水切３２Ｂをそれぞれ取付ける。【選択図】        図７
2009249840.tif 000002
【特許請求の範囲】
【請求項１】
表裏両面が外壁面となる外壁において、表側の外壁面および裏側の外壁面をそれぞれ構成する表側外壁パネルおよび裏側外壁パネルを設け、これら表側外壁パネルおよび裏側外壁パネルは、共にパネルフレームの片面に外壁面材が取付けられたものであり、前記表側外壁パネルは、側辺が基礎上に立てられた柱に接合され、かつ上辺が梁に接合され、前記裏側外壁パネルは上辺が前記梁に接合され、かつ下端から下向きに突出する調整ボルトの先端を前記基礎に当接させることで下端の基礎に対する動きが拘束されたものであり、前記表裏の外壁パネルに渡ってこれら外壁パネルと前記基礎との間の空間に介在する水切り取付金物を設け、この水切り取付金物は、外壁パネル重なり方向の両側に水切り取付部を有し、かつ平面視で前記外壁パネル重なり方向と交差する方向に突出した被固定片を有し、この被固定片に、前記調整ボルトが係合する切欠状のボルト係合部が設けられ、このボルト係合部に係合する前記調整ボルトに前記被固定片で固定され、前記表側外壁パネルの下端と前記基礎との間に沿って延びる表側の水切り、および前記裏側外壁パネルの下端と前記基礎との間に沿って延びる裏側の水切りを、前記水切り取付部にそれぞれ取付けたことを特徴とする両面パネル外壁の水切り取付構造。
【請求項２】
請求項１において、前記調整ボルトは、前記裏側外壁パネルのパネルフレームの下端に設けられた雌ねじ部材に、頭部を下向きにして螺着され、この調整ボルトの頭部と前記雌ねじ部材間に金物固定ナットを螺着し、この金物固定ナットおよび前記調整ボルトの頭部、または前記金物固定ナットおよび他のナットで水切り取付金物を挟み付けて固定した両面パネル外壁の水切り取付構造。
【請求項３】
請求項１または請求項２において、前記水切り取付金物は、線対称形で、その対称線を挟んで両側の２箇所に前記水切り取付部およびボルト係合部がそれぞれ設けられ、２箇所の水切り取付部に前記表側の水切りおよび裏側の水切りをそれぞれ個別に取付け、かつ裏側の水切りが取付けられる側のボルト係合部に前記調整ボルトを係合させて前記被固定片を固定した両面パネル外壁の水切り取付構造。
【請求項４】
請求項１ないし請求項３のいずれか１項において、前記水切り取付金物は、前記表側外壁パネルのパネルフレームの前記裏側外壁パネルに対向する面に当接して、この水切り取付金物の、前記外壁パネル重なり方向の位置決めおよび垂直軸回りの回転を阻止する突起を設けた両面パネル外壁の水切り取付構造。
【発明の詳細な説明】
【技術分野】
【０００１】
この発明は、袖壁等において、表裏両面が外壁面となり、表側の外壁面および裏側の外壁面のそれぞれを外壁パネルで構成した両面パネル外壁の水切り取付構造に関する。
【背景技術】
【０００２】
例えば図１２に住宅１階部分の平面図を示すように、建物本体５０の入り込み玄関５０ａの脇から張り出す袖壁５１では、表裏両面が外壁面となっている。従来、このような外壁を建てる場合、一方の面（表面）の外壁面については、予めパネルフレームの片面に外壁面材が取付けられた外壁パネルを、基礎、柱、梁等の躯体にボルト等で固定し、もう一方の面（裏面）の外壁面については、木や金属製の下地桟を前記躯体に固定し、この下地桟に外壁面材を直接ビス等で固定していた。
【特許文献１】特開平０６−０８１４２６号公報
【発明の開示】
【発明が解決しようとする課題】
【０００３】
上記従来のように裏面側の外壁面が現場施工であると、完成した外壁面の精度が現場作業者の熟練度により左右される。また、現場施工で取付けた外壁面材は、この外壁面材の外面側から挿入したビスにより下地桟に固定されるため、後でビス止め箇所の補修を行なう必要があり、その補修跡が見栄えを悪くすることがある。さらに、裏面側の外壁面が現場施工であると、現場での施工時間が長くかかるし、また重量の大きな外壁面材を現場で人力により取付けなければならず作業が重労働であることも問題である。
【０００４】
上記各問題を解決するために、表裏両面が外壁面となる外壁構造において、表側の外壁面および裏側の外壁面のそれぞれをパネル化することを試みた。表側の外壁パネルは、基礎上に立てられた柱に側辺を接合した後、上辺を梁に接合して吊り下げ支持するものとし、かつ裏側の外壁パネルは、前記柱または表側の外壁パネルに仮固定した後、上辺を前記梁に接合して吊り下げ支持するようにした。
【０００５】
しかし、上記構造の両面パネル外壁にすると、表裏の外壁パネルと基礎との間の空間に外部から水が浸入するのを防止する水切りの取付けが問題となる。図１３は従来の外壁の水切り取付構造の一例を示す図である。この例の水切り取付構造の場合、表裏の水切り２９Ａ，２９Ｂは次のように取付けられる。すなわち、外壁面材５が取付けられた外壁パネル１からなる表側については、外壁パネル１を前記躯体へ固定する際に、この外壁パネル１のパネルフレーム３に水切り取付金物５２を内側からビス止めしておき、後で前記水切り取付金物５２に水切り下地３０Ａをビス等で取付け、さらにこの水切り下地３０Ａに水切り本体３１を取付ける。現場施工となる裏側については、下地桟４に水切り下地３０Ｂを直接ビス等で取付け、下地桟４に外壁面材５を固定した後、水切り下地３０Ｂに水切り本体３１を取付ける。両面パネル外壁構造であると、裏側も外壁パネルであるため、下地桟４に裏側の水切り２９Ｂを取付けることができないのである。予め裏側の外壁パネルに水切りを付けておくことも考えられるが、水切りが付いた外壁パネルは取り扱い難く、施工性が悪くなる。
【０００６】
この発明の目的は、表裏両面が外壁面となる外壁構造において、表側の外壁面および裏側の外壁面のそれぞれをパネル化することであり、その場合に水切りの取付けが確実かつ容易なものとすることである。
【課題を解決するための手段】
【０００７】
この発明の両面パネル外壁の水切り取付構造は、表裏両面が外壁面となる外壁において、表側の外壁面および裏側の外壁面をそれぞれ構成する表側外壁パネルおよび裏側外壁パネルを設け、これら表側外壁パネルおよび裏側外壁パネルは、共にパネルフレームの片面に外壁面材が取付けられたものであり、前記表側外壁パネルは、側辺が基礎上に立てられた柱に接合され、かつ上辺が梁に接合され、前記裏側外壁パネルは上辺が前記梁に接合され、かつ下端から下向きに突出する調整ボルトの先端を前記基礎に当接させることで下端の基礎に対する動きが拘束されたものであり、前記表裏の外壁パネルに渡ってこれら外壁パネルと前記基礎との間の空間に介在する水切り取付金物を設け、この水切り取付金物は、外壁パネル重なり方向の両側に水切り取付部を有し、かつ平面視で前記外壁パネル重なり方向と交差する方向に突出した被固定片を有し、この被固定片に、前記調整ボルトが係合する切欠状のボルト係合部が設けられ、このボルト係合部に係合する前記調整ボルトに前記被固定片で固定され、前記表側外壁パネルの下端と前記基礎との間に沿って延びる表側の水切り、および前記裏側外壁パネルの下端と前記基礎との間に沿って延びる裏側の水切りを、前記水切り取付部にそれぞれ取付けたことを特徴とする。
【０００８】
この構成の両面パネル外壁は、例えば以下に示す順で施工する。まず、基礎上に柱を立て、この柱に表側外壁パネルの側辺を接合して、柱に表側外壁パネルを取付ける。次に、柱に梁を設置し、この梁に表側外壁パネルおよび裏側外壁パネルの上辺を接合する。吊り下げ状態である裏側外壁パネルの下端は、同裏側外壁パネルの下端から下向きに突出する調整ボルトの先端を基礎に当接させることで動きを拘束する。表裏の外壁パネルを設置したなら、表裏いずれか例えば裏側から、水切り取付金物を表裏の外壁パネルと基礎との間の空間に挿入し、被固定片のボルト係合部に前記調整ボルトを係合させて固定する。この固定状態では、水切り取付金物は表裏の外壁パネルに渡って位置する。そして、水切り取付金物の外壁パネル重なり方向の両側の水切り取付部に、表裏の水切りをそれぞれ取付ける。
【０００９】
両面パネル外壁は、外壁の表裏の外壁面が外壁パネルからなるため、完成した外壁面の精度が現場作業者の熟練度に左右されない。後でビス止め箇所等の補修を行なう必要がなくなり、見栄えが良好である。表側外壁パネルおよび裏側外壁パネルは工場等で組立てられるので、現場での施工時間を短縮できる。組立てられた表側外壁パネルおよび裏側外壁パネルは施工時にクレーン等の重機を使って運搬および保持できるので、重量の大きな外壁面材を現場で人力により取付ける必要がなくなり、現場作業が楽になる。
【００１０】
裏側外壁パネルの下端の動きを拘束する調整ボルトを利用することで、両面パネル外壁構造でありながら、水切り取付金物を固定することが可能になり、その水切り取付金物に表裏の水切りを容易に取付けることができる。そのため、表裏の外壁パネルの施工終了後、水切りの取付けに関する作業をまとめて行うことができ、従来に比べて作業性が向上する。なお、従来は、前述したように外壁パネルの施工途中に水切り取付金物の固定作業が入るため、施工が煩雑で作業性が悪かった。また、水切り取付金物の固定を忘れる可能性もあり、その場合、後での補修作業に大変な労力を要した。この発明の構成であれば、このような水切り取付金物の固定忘れも生じない。
【００１１】
この発明において、前記調整ボルトは、前記裏側外壁パネルのパネルフレームの下端に設けられた雌ねじ部材に、頭部を下向きにして螺着され、この調整ボルトの頭部と前記雌ねじ部材間に金物固定ナットを螺着し、この金物固定ナットおよび前記調整ボルトの頭部、または前記金物固定ナットおよび他のナットで水切り取付金物を挟み付けて固定したものとすることができる。
このように調整ボルトの頭部と金物固定ナット、または金物固定ナットおよび他のナットで水切り取付金物を挟み付けて固定するようにすれば、簡単な構成でありながら水切り取付金物を確実に固定することができる。
【００１２】
また、前記水切り取付金物は、線対称形で、その対称線を挟んで両側の２箇所に前記水切り取付部およびボルト係合部がそれぞれ設けられ、２箇所の水切り取付部に前記表側の水切りおよび裏側の水切りをそれぞれ個別に取付け、かつ裏側の水切りが取付けられる側のボルト係合部に前記調整ボルトを係合させて前記被固定片を固定したものとすることができる。
水切り取付金物を上記のような線対称形とし、２箇所のボルト係合部のいずれかに調整ボルトを係合させて被固定片を固定するようにすれば、水切り取付金物の向きを反対にして使用することが可能である。それにより、部品点数の削減を図れる。
【００１３】
さらに、前記水切り取付金物は、前記表側外壁パネルのパネルフレームの前記裏側外壁パネルに対向する面に当接して、この水切り取付金物の、前記外壁パネル重なり方向の位置決めおよび垂直軸回りの回転を阻止する突起を設けると良い。
水切り取付け金物に上記突起を設けると、水切り取付金物の外壁パネル重なり方向の位置決めおよび垂直軸回りの回転防止ができる。
【発明の効果】
【００１４】
この発明の両面パネル外壁の水切り取付構造は、表裏両面が外壁面となる外壁において、表側の外壁面および裏側の外壁面をそれぞれ構成する表側外壁パネルおよび裏側外壁パネルを設け、これら表側外壁パネルおよび裏側外壁パネルは、共にパネルフレームの片面に外壁面材が取付けられたものであり、前記表側外壁パネルは、側辺が基礎上に立てられた柱に接合され、かつ上辺が梁に接合され、前記裏側外壁パネルは上辺が前記梁に接合され、かつ下端から下向きに突出する調整ボルトの先端を前記基礎に当接させることで下端の基礎に対する動きが拘束されたものであり、前記表裏の外壁パネルに渡ってこれら外壁パネルと前記基礎との間の空間に介在する水切り取付金物を設け、この水切り取付金物は、外壁パネル重なり方向の両側に水切り取付部を有し、かつ平面視で前記外壁パネル重なり方向と交差する方向に突出した被固定片を有し、この被固定片に、前記調整ボルトが係合する切欠状のボルト係合部が設けられ、このボルト係合部に係合する前記調整ボルトに前記被固定片で固定され、前記表側外壁パネルの下端と前記基礎との間に沿って延びる表側の水切り、および前記裏側外壁パネルの下端と前記基礎との間に沿って延びる裏側の水切りを、前記水切り取付部にそれぞれ取付けたことにより、表側の外壁面および裏側の外壁面のそれぞれをパネル化することが可能になり、かつ水切りの取付けが確実かつ容易である。
【発明を実施するための最良の形態】
【００１５】
この発明の実施形態を図１ないし図９と共に説明する。この両面パネル外壁は、住宅等の建物における袖壁等の表裏両面が外壁面となる外壁に適用されるものであり、表側の外壁面および裏側の外壁面をそれぞれ構成する表側外壁パネル１および裏側外壁パネル２を備える。これら表側外壁パネル１および裏側外壁パネル２は、図２および図３に示すように、共にパネルフレーム３の片面に下地桟４を取付け、この下地桟４に外壁面材５を取付けたものである。外壁面材５は、ＧＲＣ（ガラス繊維強化セメント）等からなる。パネルフレーム３は、軽量鉄骨からなる縦フレーム材３ａ、横フレーム材３ｂ、および中桟３ｃを枠組状に組み合わせて構成されている。図２および図３は裏側外壁パネル２を示しているが、若干の違いはあるものの、基本的には表側外壁パネル１も同様の構成である。なお、表側外壁パネル１の縦フレーム材３ａは溝形鋼とされ、裏側外壁パネル２の縦フレーム材３ａは角パイプとされている。これらの表側外壁パネル１および裏側外壁パネル２は、工場等で組立てられる。
【００１６】
図１に示すように、この両面パネル外壁の完成状態では、基礎６上に柱７を垂直に立て、この柱７上に梁８が水平に設置される。柱７を通し柱として、柱７の側面に梁８を接合してもよい。表側外壁パネル１は、側辺を柱７に接合させ、かつ上辺を梁８に接合させることで支持される。また、裏側外壁パネル２は、仮支持手段１７により柱７に対して仮支持させ、後に上辺を梁８に接合させることで支持される。
詳しくは、図４に示すように、柱７は軽量形鋼におけるリップ付きの溝形鋼からなり、上下方向の複数箇所で両側のリップ部７ａ間を補強板７ｂで連結したものである。この柱７のフランジ部７ｃと表側外壁パネル１のパネルフレーム縦フレーム材３ａとが、ボルト１０およびナット１１により接合される。また、図１に示すように、梁８はＨ形鋼からなり、この梁８の下側フランジ部８ａと表側外壁パネル１および裏側外壁パネル２のパネルフレーム３とが、ボルト１０およびナット（図示せず）により接合される。仮支持手段１７については、後で説明する。
【００１７】
柱７および表側外壁パネル１の下側には、これらを載せる台となる厚肉鋼板からなるプレート１２が、基礎６の天端面上に設けられている。基礎６は、布基礎等からなる。図５に示すように、上記プレート１２は、柱７を挟んで隣合う一対の表側外壁パネル１の対向する端部間に配置されており、アンカーボルト１３により、柱７と共に基礎６に固定されている。
プレート１２には表側外壁パネル位置決め孔１４ａ（図６）が設けられ、この位置決め孔１４ａに、表側外壁パネル１の下端から下向きに突出する位置決めピン１４ｂを嵌合させることで、表側外壁パネル１の水平位置が位置決めされている。位置決め孔１４ａを有するプレート１２と位置決めピン１４ｂとで、表側外壁パネル１の基礎６に対する水平位置を位置決めする表側外壁パネル位置決め手段１４を構成している。この表側外壁パネル位置決め手段１４による位置決めに代えて、アンカーボルトにより表側外壁パネル１を基礎６に固定してもよい。
また、プレート１２は、裏側外壁パネル２の下方に張り出す張出部１２ａ（図５）を有し、この張出部１２ａに裏側外壁パネル位置決め孔１５ａ（図６）が設けられ、この位置決め孔１５ａに、裏側外壁パネル２の下端から下向きに突出する位置決めピン１５ｂを嵌合させることで、裏側外壁パネル１の水平位置が位置決めされる。位置決め孔１５ａを有するプレート１２と位置決めピン１５ｂとで、裏側外壁パネル２の基礎６に対する水平位置を位置決めする裏側外壁パネル位置決め手段１５を構成している。
【００１８】
この両面パネル外壁には、梁８が設置されるまでの間、裏側外壁パネル２を柱７に仮支持しておくための仮支持手段１７が設けられている。図８に示すように、仮支持手段１７は、柱７の上端のリップ部７ａ側の面に取付けられた仮支持金具１８と、裏側外壁パネル２のパネルフレーム３に設けた被支持片１９とでなる。なお、柱７上端の仮支持金具１８が取付けられる箇所は、側面視で長方形に切り欠かれた形状となっている。仮支持金具１８は、平面視コ字形の金具であり、その中央部で溶接により柱７に取付けられている。仮支持金具１８の両側部には、上向きの切欠溝１８ａがそれぞれ形成されている。この実施形態では、概略形状が上側に開くＶ字状で、下端部は円弧状とされている。両側部の各切欠溝１８ａは、隣合う一対の裏側外壁パネル２の被支持片１９にそれぞれ対応する。なお、仮支持金具１８の中央部には、柱７と梁８を接合する際に柱７内に手や工具を入れるための切欠部１８ｂが形成されている。被支持片１９は、前記切欠溝１８ａに受けられる形状のものであり、例えばボルトを軸部が露出する状態でパネルフレーム３にねじ込んだものとされている。
【００１９】
図７に示すように、裏側外壁パネル２の下端には、裏側外壁パネル２の上辺が梁８に接合された状態でこの裏側外壁パネル２の下端の動きを拘束するパネル下端拘束手段２１が設けられている。パネル下端拘束手段２１は、裏側外壁パネル２のパネルフレーム３の下端に設けられた雌ねじ部材２２と、この雌ねじ部材２２に螺着された調整ボルト２３と、この調整ボルト２３に螺着したロックナット２４とでなる。調整ボルト２３は、頭部２３ａを下側にして雌ねじ部材２２に螺着されている。
【００２０】
また、表裏の外壁パネル１，２と基礎６との間の隙間から内部の空間４０に水が浸入するのを防止するために、表裏の水切り２９Ａ，２９Ｂが設けられている。表側の水切り２９Ａは、表側外壁パネル１の下端と基礎６との間に沿って延びる水切り下地３０Ａと、この水切り下地３０Ａの表側端部に装着した水切り本体３１とでなる。裏側の水切り２９Ｂは、裏側外壁パネル２の下端と基礎６との間に沿って延びる水切り下地３０Ｂと、この水切り下地３０Ｂの裏側端部に装着した水切り本体３１とでなる。これらの水切り２９Ａ，２９Ｂは、表裏の外壁パネル１，２に渡って前記空間４０に設けた水切り取付金物３２に取付けられている。
【００２１】
図５、図７、図９に示すように、水切り取付金物３２は、表裏の外壁パネル１，２の重なり方向となる両側に水切り取付部３３ａを有する金物本体３３と、この金物本体３３の一側部から前記外壁パネル重なり方向と直角方向に突出した被固定片３４とでなる。金物本体３３は、水平板部３３ｂに対して前記水切り取付部３３ａが下向きに折れ曲がった形状であり、水切り取付部３３ａには水切り取付用のねじ孔３５が設けられている。被固定片３４は、側端縁の２箇所に切欠状のボルト係合部３６を有する。水切り取付金物３２は線対称形であり、それぞれ２箇所の水切り取付部３３ａおよびボルト係合部３６は対称線Ｌを挟んで両側の互いにに対称となる位置に配置してある。また、金物本体水平板部３３ｂの上記対称線Ｌ上には、上向きに突出し対称線Ｌに沿って延びる突起３７が設けられている。この突起３７は、水切り取付金物３２の位置決めおよび回転防止用である。この実施形態では、突起３７は、金物本体水平板部３３ｂに切り込みを入れ、その切り込みの内側を折り曲げて成形される切り起し片とされている。
【００２２】
水切り取付金物３２は、被固定片３４の２箇所のボルト係合部３６のうち裏側に位置するボルト係合部３６を前記調整ボルト２３に係合させて固定されている。詳しくは、調整ボルト２３には、この調整ボルト２３の頭部２３ａと前記雌ねじ部材２２間に金物固定ナット３８が螺着されており、この金物固定ナット３８および調整ボルト２３の頭部２３ａで水切り取付金物３２を挟み付けて固定してある。なお、被固定片３４の高さ位置の関係等により、金物固定ナット３８および調整ボルト２３の頭部２３ａで水切り取付金物３２を挟み付けて固定するのが困難な場合は、金物固定ナット３８および前記ロックナット２４で、または金物固定ナット３８および前記ロックナット２４以外の他のナットで挟み付けて固定するようにしてもよい。
【００２３】
水切り２９Ａ，２９Ｂの水切り下地３０Ａ，３０Ｂは、水切り取付金物３２の水切り取付部３３ａの外側面に接触させ、外側から前記ねじ孔３５にビス３９をねじ込んで水切り取付部３３ａに取付けられている。水切り本体３１は、上下両端に係合部３１ａおよびフック部３１ｂをそれぞれ有し、表裏の外壁パネル１，２の外壁面材５の下端から突出する被係合体４１に前記係合部３１ａを係合させ、かつ水切り下地３０Ａ，３０Ｂの下端に前記フック部３１ｂを引っ掛けることで装着してある。なお、水切り２９Ａ，２９Ｂは、水切り下地３０Ａ，３０Ｂと水切り本体３１とに分かれていなくて、両者が一体に形成されたものであってもよい。
【００２４】
この両面パネル外壁の建て方を説明する。表側外壁パネル１および裏側外壁パネル２は、予め工場等で組立てられて、現場に搬入される。現場では、以下に示す順で施工する。まず、基礎６上に柱７を立て、この柱７に表側外壁パネル１の側辺を接合して、柱７に表側外壁パネル１を取付ける。その際、表側外壁パネル位置決め手段１４により、表側外壁パネル１の基礎６に対する水平位置を位置決めする。
【００２５】
次に、仮支持手段１７により、柱７に裏側外壁パネル２を仮支持させる。図１０はそのときの動作を示す図であり、裏側外壁パネル２を柱７よりも高く持ち上げ、柱７の仮支持金具１８の切欠溝１８ａの上方に裏側外壁パネル２の被支持片１９が位置する状態で裏側外壁パネル２を下ろすことにより、被支持片１９を切欠溝１８ａに嵌まり込ませる。切欠溝１８ａは上側に開くＶ字状であるため、切欠溝１８ａに嵌まり込んだ被支持片１９は切欠溝１８ａの斜面に沿って底部へと導かれる。この際、裏側外壁パネル位置決め手段１５により、裏側外壁パネル２の基礎６に対する水平位置を位置決めする。これにより、裏側外壁パネル２が、梁８が設置されるまでの仮支持状態となる。
【００２６】
梁８が設置されたなら、この梁８に表側外壁パネル１および裏側外壁パネル２の上辺を接合する。裏側外壁パネル２は梁８に吊り下げられた状態となる。このままでは、裏側外壁パネル位置決め手段１５であるプレート１２の位置決め孔１５ａと位置決めピン１５ｂとの遊びの分だけ裏側外壁パネル２の下端が動く可能性があるため、パネル下端拘束手段２１により裏側外壁パネル２の下端の動きを拘束する。具体的には、図１１に示すように、頭部２３ａが基礎６から浮き上がった状態にある調整ボルト２３を、雌ねじ部材２２に対する締め込みを緩めて下側へ移動させ、ロックナット２４を締め付けることで、図７に示されているような、調整ボルト２３の頭部２３ａが基礎６に接触した状態とする。隣合う表側外壁パネル１間および裏側外壁パネル２間には、水密部材２８（図４、図５）を装着する。
【００２７】
表裏の外壁パネル１，２の施工終了後、水切り２９Ａ，２９Ｂの取付の準備として、水切り取付金物３２を固定する。水切り取付金物３２の固定は次のように行う。すなわち、両水切り取付部３３ａが外壁パネル重なり方向（表裏の方向）に並ぶ向きで水切り取付金物３２を保持し、この水切り取付金物３２を、外壁パネル１，２と基礎６間の空間４０（図７）におけるプレート１２と調整ボルト２３との間に、裏側から挿入する。その際、被固定片３４が調整ボルト２３の側になるようにする。突起３７が表側外壁パネル１に当接する位置まで挿入することにより、水切り取付金物３２の外壁パネル重なり方向の位置決めがなされる。そして、２箇所のボルト係合部３６のうち裏側に位置するボルト係合部３６に調整ボルト２３を係合させ、この調整ボルト２３の頭部２３ａと金物固定ナット３８とで被固定片３４を挟み付けることで、水切り取付金物３２を固定する。この固定構造は、簡単な構成でありながら水切り取付金物３２を確実に固定することができる。この固定状態では、前記突起３７が表側外壁パネル１に面で当接しているため、水切り取付金物３２の垂直軸回りの回転が阻止される。
なお、プレート１２と調整ボルト２３との間隔が狭く、挿入時に水切り取付金物３２が調整ボルト２３と干渉する場合は、図５に二点鎖線で示すように、水切り取付金物３２を斜めにして挿入し、後で両水切り取付部３３ａが外壁パネル重なり方向に並ぶ向きに直してもよい。
【００２８】
水切り取付金物３２が固定されたなら、水切り取付金物３２に表裏の水切り下地３０Ａ，３０Ｂを取付ける。さらに、水切り下地３０Ａ，３０Ｂの端部に水切り本体３１を装着することで、両面パネル外壁が完成する。水切り下地３０Ａ，３０Ｂの取付方法および水切り本体３１の装着方法は、前述の通りであるので説明を省略する。
【００２９】
このように、この両面パネル外壁は、仮支持手段１７により、裏側外壁パネル２を柱７に仮支持させてから、後で正式に裏側外壁パネル２を梁８に吊り下げ状態に支持させることにより、両外壁パネル１，２間に手や工具を差し入れるスペースが無くても、裏側外壁パネル２を取付けることができる。また、裏側外壁パネル２を柱７に仮支持する際に、裏側外壁パネル位置決め手段１５により、裏側外壁パネル２の基礎６に対する水平位置を位置決めしておくことにより、裏側外壁パネル２を正確な水平位置に取付けることができる。裏側外壁パネル位置決め手段１５による位置決めだけでは、位置決め孔１５ａと位置決めピン１５ｂとの遊びの分だけ裏側外壁パネル２の下端が動く可能性があるが、裏面側外壁パネル２を梁に吊り下げ状態に支持した後、パネル下端拘束手段２１により、裏側外壁パネル２の下端の動きを拘束することにより、裏側外壁パネル２の下端の動きが拘束された安定した外壁構造となる。
【００３０】
また、表裏の外壁面が外壁パネル１，２からなる構造としたことにより、完成した外壁面の精度が現場作業者の熟練度に左右されることをなくせる。後でビス止め箇所等の補修を行なう必要がなくなり、見栄えが良好である。表側外壁パネル１および裏側外壁パネル２は、工場等で組立てられるため、現場での施工時間を短縮できる。組立てられた表側外壁パネル１および裏側外壁パネル２は施工時にクレーン等の重機を使って運搬および保持できるので、重量の大きな外壁面材５を現場で人力により取付ける必要がなくなり、現場作業が楽になる。また、この両面パネル外壁構造は、簡易な構造であり、特別な部材を使用するものではないため、施工が容易で、かつコストを低く抑えることができる。
【００３１】
さらに、裏側外壁パネル２の下端の動きを拘束する調整ボルト２３を利用することで、両面パネル外壁構造でありながら、水切り取付金物３２を固定することが可能になり、その水切り取付金物３２に表裏の水切り２９Ａ，２９Ｂを容易に取付けることができる。そのため、表裏の外壁パネル１，２の施工終了後、水切り２９Ａ，２９Ｂの取付けに関する作業をまとめて行うことができ、作業性が向上する。また、従来のように水切り取付金物の固定忘れが生じる可能性がない。
【００３２】
また、水切り取付金物３２を線対称形とし、その対称線Ｌを挟んで両側の２箇所に位置するボルト係合部３６のうちの一つに調整ボルト２３を係合させて被固定片３４を固定する構成としたことにより、水切り取付金物３２の向きを反対にして使用することが可能であるため、プレート１２の両側で同じ水切り取付金物３２を使用することができる。それにより、部品点数の削減を図れる。
【図面の簡単な説明】
【００３３】
【図１】この発明の実施形態にかかる両面パネル外壁の側面図である。
【図２】同両面パネル外壁の裏側外壁パネルの正面である。
【図３】同裏側外壁パネルの側面断面図である。
【図４】図１のIV−IV断面図である。
【図５】図１のＶ−Ｖ断面図である。
【図６】同両面パネル外壁の一部の一断面を示す断面図である。
【図７】同両面パネル外壁の一部の異なる断面を示す断面図である。
【図８】同両面パネル外壁の一部の分解斜視図である。
【図９】（Ａ）は同両面パネル外壁の水切り取付金物の正面図、（Ｂ）はその平面図、（Ｃ）はその側面図である。
【図１０】同裏側外壁パネルの仮支持動作を示す説明図である。
【図１１】同両面パネル外壁のパネル下端拘束手段の動作を示す説明図である。
【図１２】住宅１階部分の平面図である。
【図１３】従来の外壁の一部の断面図である。
【符号の説明】
【００３４】
１…表側外壁パネル
２…裏面側外壁パネル
３…パネルフレーム
４…下地桟
５…外壁面材
６…基礎
７…柱
８…梁
２２…雌ねじ部材
２３…調整ねじ
２３ａ…頭部
２９Ａ，２９Ｂ…水切り
３２…水切り取付金物
３３ａ…水切り取付部
３４…被固定片
３６…ボルト係合部
３７…突起
３８…金物固定ナット
４０…空間
Ｌ…対称線
【図１】
2009249840.tif 000003
【図２】
2009249840.tif 000004
【図３】
2009249840.tif 000005
【図４】
2009249840.tif 000006
【図５】
2009249840.tif 000007
【図６】
2009249840.tif 000008
【図７】
2009249840.tif 000009
【図８】
2009249840.tif 000010
【図９】
2009249840.tif 000011
【図１０】
2009249840.tif 000012
【図１１】
2009249840.tif 000013
【図１２】
2009249840.tif 000014
【図１３】
2009249840.tif 000015